(57)【要約】  乗り物車両システムが、乗り物軌道及び乗り物車両を含む。乗り物軌道は、車両レール及び付属レールを含む。乗り物車両は、乗り物車両ベースと、乗り物車両ベースに結合されたショー要素と、機械的リンク機構とを含む。乗り物車両ベースは、乗り物軌道の車両レールに接して、乗り物軌道の車両レールに沿って移動するように構成される。乗り物車両ベースに結合されたショー要素は、乗り物車両ベースに対して作動するように構成される。機械的リンク機構は、ショー要素に結合された第１の端部と、乗り物軌道の付属レールに結合された第２の端部とを含む。機械的リンク機構は、付属レールに沿って動いて、車両レールに対する付属レールの位置に少なくとも部分的に基づいてショー要素を作動させるように構成される。【選択図】図１
2022500159.tif 000002
【特許請求の範囲】
【請求項１】
乗り物車両システムであって、
車両レール及び付属レールを含む乗り物軌道と、
乗り物車両と、
を備え、前記乗り物車両は、
前記乗り物軌道の前記車両レールに接して前記乗り物軌道の前記車両レールに沿って移動するように構成された乗り物車両ベースと、
前記乗り物車両ベースに結合され、前記乗り物車両ベースに対して作動するように構成されたショー要素と、
前記ショー要素に結合された第１の端部、及び前記乗り物軌道の前記付属レールに結合された第２の端部を含み、前記付属レールに沿って動いて、前記車両レールに対する前記付属レールの位置に少なくとも部分的に基づいて前記ショー要素を作動させるように構成された機械的リンク機構と、
を含む、
ことを特徴とする乗り物車両システム。
【請求項２】
前記機械的リンク機構は、剛直な又は可動式の接合部を介して互いに結合された複数の構体を含み、前記複数の構体は、前記車両レールに対する前記付属レールの位置に少なくとも部分的に基づいて動くように構成される、
請求項１に記載の乗り物車両システム。
【請求項３】
前記乗り物軌道は、前記乗り物車両に接する複数の車両レールを含む、
請求項１に記載の乗り物車両システム。
【請求項４】
前記付属レールと前記車両レールとの間の距離は、前記乗り物軌道に沿って変化するように構成され、前記付属レールと前記車両レールとの間の前記距離の変化は、前記ショー要素を延長又は後退させることによって前記ショー要素を作動させる、
請求項１に記載の乗り物車両システム。
【請求項５】
前記ショー要素は、前記乗り物車両ベースに対して延長又は後退するように構成される、
請求項４に記載の乗り物車両システム。
【請求項６】
前記付属レールの垂直位置は、前記車両レールに対して変化するように構成され、前記付属レールと前記車両レールとの間の前記垂直位置の変化は、前記ショー要素を上方又は下方に作動させる、
請求項１に記載の乗り物車両システム。
【請求項７】
前記機械的リンク機構は、前記車両レールに結合された中間部分を含み、前記機械的リンク機構は、前記中間部分に配置されたヒンジ部を中心に回転するように構成される、
請求項１に記載の乗り物車両システム。
【請求項８】
前記機械的リンク機構の前記第１の端部の水平位置は、前記中間部分に対して変化するように構成され、前記水平位置の変化は、前記ショー要素を前方又は後方に作動させる、
請求項７に記載の乗り物車両システム。
【請求項９】
前記ショー要素を前記乗り物車両に対して作動させるように構成されたアクチュエータを備え、前記アクチュエータは、空気圧的、水圧的又は電気的に駆動される、
請求項１に記載の乗り物車両システム。
【請求項１０】
前記乗り物車両の前記乗り物車両ベースに取り付けられた乗り物シートを備える、
請求項１に記載の乗り物車両システム。
【請求項１１】
乗り物車両であって、
乗り物軌道の車両レールに接して前記乗り物軌道の前記車両レールに沿って移動するように構成された乗り物車両ベースと、
前記乗り物車両ベースに結合され、前記乗り物車両ベースに対して作動するように構成されたショー要素と、
前記ショー要素に結合された第１の端部、及び前記乗り物軌道の付属レールに結合されるように構成された第２の端部を含み、前記車両レールに対する前記付属レールの位置に少なくとも部分的に基づいて前記ショー要素を作動させるように構成された機械的リンク機構と、
を備えることを特徴とする乗り物車両。
【請求項１２】
前記機械的リンク機構は、前記ショー要素を前記乗り物車両ベースに対して上方に、下方に、前方に、後方に、外方に、内方に、又はこれらの何らかの組み合わせで作動させるように構成される、
請求項１１に記載の乗り物車両。
【請求項１３】
前記機械的リンク機構は、前記乗り物車両ベースの側部に結合される、
請求項１１に記載の乗り物車両。
【請求項１４】
前記機械的リンク機構は、前記乗り物車両ベースの前部、後部又は上部に結合される、
請求項１１に記載の乗り物車両。
【請求項１５】
前記ショー要素は、遠位端及び近位端を含み、前記近位端は、前記乗り物車両ベースに結合され、前記遠位端は、前記近位端に対して上方に、下方に、前方に、後方に、外方に、内方に、又はこれらの何らかの組み合わせで動くように構成される、
請求項１１に記載の乗り物車両。
【請求項１６】
前記ショー要素の作動を引き起こすように構成されたアクチュエータを備える、
請求項１１に記載の乗り物車両。
【請求項１７】
前記アクチュエータは、水圧式アクチュエータ、空気圧式アクチュエータ、電気式アクチュエータ、機械式アクチュエータ、又はこれらの何らかの組み合わせを含む、
請求項１６に記載の乗り物車両。
【請求項１８】
前記ショー要素は、前記乗り物軌道に沿った前記乗り物車両の位置に少なくとも部分的に基づいて作動するように構成される、
請求項１１に記載の乗り物車両。
【請求項１９】
乗り物軌道の車両レールに沿って乗り物車両を移動させるステップと、
前記車両レールに対する前記乗り物軌道の付属レールの位置に少なくとも部分的に基づいて機械的リンク機構を作動させて、前記乗り物車両に結合されたショー要素を動かすステップと、
を含み、前記付属レールの前記位置は、前記乗り物軌道に沿って前記車両レールに対して変化するように構成され、前記ショー要素は、前記乗り物車両に対して作動するように構成される、
ことを特徴とする方法。
【請求項２０】
前記機械的リンク機構は、前記ショー要素を前記乗り物車両に対して上方に、下方に、前方に、後方に、内方に、外方に、又はこれらの何らかの組み合わせで動かすように作動するよう構成される、
請求項１９に記載の方法。
【発明の詳細な説明】
【技術分野】
【０００１】
本開示は、一般に遊園地の分野に関する。具体的には、本開示の実施形態は、遊園地乗り物車両上のショー要素を作動させる技術に関する。
【背景技術】
【０００２】
本節は、以下で説明する本開示の様々な態様に関連し得る技術の様々な態様を読者に紹介するためのものである。本考察は、読者に背景事情を示して本開示の様々な態様のより良い理解を促す上で役立つと考えられる。従って、これらの記載は、先行技術を認めるものとしてではなく、上記の観点から読むべきものであると理解されたい。
【発明の概要】
【発明が解決しようとする課題】
【０００３】
遊園地は、２０世紀初頭以来大幅に人気が高まってきた。この人気の高まりを維持するために、新たな遊園地アトラクションは、来園客に独特な動き及び視覚的体験を提供するように設計されている。ほとんどの遊園地アトラクションは、乗り物経路に沿って乗客を運ぶ乗り物車両を含む。遊園地アトラクションによっては、乗り物経路沿いに遊園地アトラクションの視覚的体験を増補するショー要素を組み込むことができるものもある。従って、遊園地アトラクションは、来園客に固有の動き及び視覚的体験を提供する固有のショー要素を組み込むことが望ましいと認識することができる。
【課題を解決するための手段】
【０００４】
以下、当初の特許請求の範囲の主題と同一範囲のいくつかの実施形態を要約する。これらの実施形態は、本開示の範囲を限定するものではなく、むしろいくつかの開示する実施形態の概要を示すものにすぎない。実際に、本開示は、以下に示す実施形態と類似し得る又は異なり得る様々な形態を含むことができる。
【０００５】
ある実施形態では、乗り物車両システムが、車両レール及び付属レールを有する乗り物軌道を含む。乗り物車両システムは、乗り物軌道の車両レールに接するように構成された乗り物車両ベースを有する乗り物車両も含む。乗り物車両ベースは、乗り物軌道の車両レールに沿って移動するように構成される。乗り物車両は、乗り物車両ベースに結合されたショー要素も含む。ショー要素は、乗り物車両ベースに対して作動するように構成される。さらに、乗り物車両は、ショー要素に結合された第１の端部と、乗り物軌道の付属レールに結合された第２の端部とを有する機械的リンク機構を含む。機械的リンク機構は、付属レールに沿って動いて車両レールに対する付属レールの位置に少なくとも部分的に基づいてショー要素を作動させるように構成される。
【０００６】
ある実施形態では、乗り物車両が、乗り物軌道の車両レールに接するように構成された乗り物車両ベースを含む。乗り物車両ベースは、乗り物軌道の車両レールに沿って移動するように構成される。さらに、乗り物車両は、乗り物車両ベースに結合されたショー要素を含む。ショー要素は、乗り物車両ベースに対して作動するように構成される。さらに、乗り物車両は、ショー要素に結合された第１の端部と、乗り物軌道の付属レールに結合された第２の端部とを有する機械的リンク機構を含む。機械的リンク機構は、車両レールに対する付属レールの位置に少なくとも部分的に基づいてショー要素を作動させるように構成される。
【０００７】
ある実施形態では、方法が、乗り物軌道の車両レールに沿って乗り物車両を移動させるステップを含む。方法は、車両レールに対する乗り物軌道の付属レールの位置に少なくとも部分的に基づいて機械的リンク機構を作動させて、乗り物車両に結合されたショー要素を動かすステップも含む。付属レールの位置は、乗り物軌道に沿った車両レールに対して変化するように構成される。さらに、ショー要素は、乗り物車両に対して作動するように構成される。ある実施形態では、乗り物車両が、乗り物軌道に接するように構成された乗り物車両ベースを含む。乗り物車両ベースは、乗り物車両ベースエンベロープを定める動き範囲内で乗り物軌道に沿って移動するようにも構成される。乗り物車両は、乗り物車両ベースに結合されたショー要素も含む。ショー要素は、乗り物車両ベースに対して乗り物車両ベースエンベロープ外で作動するように構成される。乗り物車両は、ショー要素と乗り物車両ベースエンベロープ外の構造との衝突を避けるようにショー要素の位置を制御するように構成されたコントローラも含む。
【０００８】
全体を通じて同じ部分を同じ符号によって示す添付図面を参照しながら以下の詳細な説明を読めば、本開示のこれらの及びその他の特徴、態様及び利点がより良く理解されるであろう。
【図面の簡単な説明】
【０００９】
【図１】本技術による乗り物車両システムの実施形態の斜視図である。
【図２】本技術による、付属レールを含む乗り物車両システムの乗り物軌道の実施形態の上面図である。
【図３】本技術による乗り物車両システムの、付属レール、ショー要素及び乗り物車両の機械的リンク機構を含む乗り物車両システムの乗り物軌道の別の実施形態の断面図である。
【図４】本技術による、上方位置に配置された複数のショー要素を有する乗り物車両の実施形態の正面図である。
【図５】本技術による、後方位置に配置されたショー要素を有する乗り物車両の別の実施形態の斜視図である。
【図６】本技術による、折り畳み位置に配置されたショー要素を有する乗り物車両の別の実施形態の正面図である。
【図７】本技術による、上方折り畳み位置に配置されたショー要素を有する乗り物車両の別の実施形態の正面図である。
【図８】収容位置から開放位置に動くショー要素を有する乗り物車両の別の実施形態の斜視図である。
【図９】遊園地アトラクションの乗り物車両制御システムの実施形態のブロック図である。
【図１０】本技術による、乗り物車両に対してショー要素を作動させる方法の実施形態のフロー図である。
【発明を実施するための形態】
【００１０】
以下、本開示の１又は２以上の具体的な実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１１】
典型的な遊園地アトラクション（例えば、ローラーコースター又はダークライド）は、乗り物軌道に沿って移動する乗り物車両を含む。また、遊園地アトラクションによっては、乗り物車両の乗客の視覚的体験を増補するために、アニマトロニクス、小道具、照明効果、画面表示などのショーイベントを含むものもある。従来、ショー要素は、遊園地アトラクション内の特定の位置に配置される。例えば、乗り物軌道に隣接する草地内をアニマトロニックのライオンが移動し、乗り物車両がアニマトロニックのライオンを通り過ぎる時に乗り物車両に吠え掛かり又は振り向くようにすることができる。しかしながら、乗り物車両が乗り物軌道に沿って進み続けると、乗客はもはやアニマトロニックのライオンの近くには存在しなくなる。乗り物軌道沿いに多くのショー要素を配置することは、コスト面でも設計時間面でもリソース集約的となり得る。従って、乗り物車両と共に移動して乗客に固有の視覚的体験を提供するショー要素を有することが望ましいと考えられる。
【００１２】
本明細書で説明するシステム及び方法を使用して、乗り物車両に結合されたショー要素を作動させることにより、乗客は、乗り物軌道全体に沿ってショー要素からの視覚的体験を楽しむことができる。
【００１３】
図１は、遊園地アトラクション１２の乗り物車両システム１０の実施形態の斜視図である。乗り物車両システム１０は、車両レール１６及び付属レール１８を有する乗り物軌道１４を含む。乗り物車両システム１０は、乗り物軌道１４の車両レール１６に接して車両レール１６に沿って移動するように構成された乗り物車両ベース２２を有する乗り物車両２０（例えば、ローラーコースター又はダークライド）も含む。いくつかの実施形態では、乗り物車両ベース２２が、車両レール１６に接するように構成された摩擦車輪アセンブリ２４を含む。しかしながら、他の実施形態では、乗り物車両２０が、いずれかの好適な推進又は接合アセンブリを使用して車両レール１６に沿って移動することもできる。また、乗り物車両２０は、乗り物軌道１４に沿って移動する際に１又は２以上の乗客を保持できるように乗り物車両ベース２２に取り付けられた１又は２以上の乗り物シート２６を有することができる。乗り物車両ベース２２は、乗り物車両２０のフレーム又は構体（ｂｏｄｙ）を含むことができる。
【００１４】
さらに、乗り物車両２０は、乗り物車両ベース２２に結合されたショー要素２８を有する。いくつかの実施形態では、ショー要素２８が、機械的リンク機構３０を介して乗り物車両ベース２２に結合される。いくつかの実施形態では、機械的リンク機構３０が、乗り物車両ベース２２の側部３２に結合される。従って、ショー要素２８は、乗り物車両ベース２２の側部３２に結合することができる。いくつかの実施形態では、乗り物車両ベース２２に複数のショー要素２８を結合することができる。例えば、海賊をテーマとしたアトラクションでは、乗り物車両２０が海賊船の外観を有することができ、複数のショー要素２８を海賊船の一対のオールとすることができる。乗り物車両ベース２２の左側３４に第１のオールを結合し、乗り物車両ベース２２の右側３６に第２のオールを結合することができる。
【００１５】
一方で、ショー要素２８は、乗り物車両ベース２２に対して作動して少なくとも遊園地アトラクション１２の視覚的体験を増補するように構成されたいずれかの機械的装置とすることもできる。ショー要素２８のさらなる例としては、マスト及び帆、厚板（ｐｌａｎｋ）、機械的アーム、翼、櫂（paddles）、アニマトロニックキャラクタ、アニマトロニックキャラクタ用のプラットフォーム又は特殊効果装置、或いは他のいずれかの好適な機械的装置が挙げられる。
【００１６】
いくつかの実施形態では、機械的リンク機構３０が、乗り物車両ベース２２の前部３８、後部４０又は上部４２に結合される。例えば、海賊をテーマとしたアトラクションでは、ショー要素２８を、乗り物車両ベース２２の上部４２に結合されたマスト及び帆、乗り物車両ベース２２の後部４０に結合された厚板、又は乗り物車両ベース２２の前部３８に結合された大砲とすることができる。いくつかの実施形態では、乗り物車両２０が、乗り物車両ベース２２の前部３８、後部４０及び上部４２に複数のショー要素２８を結合できるように複数の機械的リンク機構３０を有することができる。
【００１７】
ショー要素２８は、乗り物車両ベース２２に対して作動するように構成することができる。いくつかの実施形態では、機械的リンク機構３０を、乗り物車両ベース２２に対して上方に、下方に、前方に、後方に、外方に、内方に、又はこれらの何らかの組み合わせでショー要素２８を作動させるように構成することができる。例えば、海賊をテーマとしたアトラクションでは、一対のオールの各オールが乗り物車両ベース２２に対して作動して、これらのオールが海賊船を漕いでいる見た目を生み出すことができ、マスト及び帆が乗り物車両ベース２２に対して傾いて強風の見た目を生み出すことができ、厚板が乗り物車両ベース２２に対して上下に揺れることができ、大砲が乗り物車両ベース２２に対して前方に転がることができる。別の実施形態では、水圧式、空気圧式、電気式又は機械式アクチュエータがショー要素２８の作動を引き起こすように構成される。一方で、さらなる実施形態では、機械的リンク機構３０及びアクチュエータ４４の両方がショー要素２８の作動を引き起こすように構成される。
【００１８】
ショー要素２８は、乗り物軌道１４に沿った乗り物車両２０の位置に少なくとも部分的に基づいて作動するように構成することができる。乗り物システムコントローラは、乗り物軌道１４に沿った乗り物車両２０の検出された位置に少なくとも部分的に基づいてショー要素２８の作動を制御する信号を出力するように構成することができる。いくつかの実施形態では、乗り物車両コントローラが、乗り物軌道１４に沿った乗り物車両２０の検出された位置に少なくとも部分的に基づいてショー要素２８の作動を制御する信号を出力するように構成される。しかしながら、別の実施形態では、ショー要素２８が、機械的リンク機構３０の作動に基づいて動くように構成される。機械的リンク機構３０は、乗り物軌道１４に沿ったそれぞれの位置における付属レール１８の位置に基づいてショー要素２８が作動するように、乗り物車両２０が乗り物軌道１４に沿って進む際に付属レール１８の位置に少なくとも部分的に基づいて（例えば、車両レール１６、乗り物車両２０、地面などに対して）ショー要素２８を作動させるように構成することができる。
【００１９】
図２は、付属レール１８を含む乗り物車両システム１０の乗り物軌道１４の実施形態の上面図である。付属レール１８は、車両レール１６に隣接して配置することができる。付属レール１８は、乗り物軌道１４の全長にわたって車両レール１６に隣接することができる。付属レール１８と車両レール１６との間の距離４８は、乗り物軌道１４に沿って変化することができる。この付属レール１８と車両レール１６との間の距離４８の変化によって、ショー要素２８を作動させることができる。
【００２０】
いくつかの実施形態では、乗り物軌道１４が、乗り物車両２０に接する複数の車両レール１６を有することができる。乗り物軌道１４は、それぞれ乗り物車両ベース２２の左側部分及び右側部分に接するように構成された左側車両レール５０及び右側車両レール５２を含むことができる。付属レール１８は、左側車両レール５０と右側車両レール５２との間に乗り物車両２０に対して水平方向５８に配置することができる。しかしながら、他の実施形態では、付属レール１８を複数の車両軌道１６の外側に配置することもできる。乗り物車両２０に対する水平方向５８は、左側車両レール５０及び右側車両レール５２と交差する線に沿った、一般に乗り物軌道１４に沿った乗り物車両６０の移動方向に垂直な又はこれを横切る方向として定めることができる。機械的リンク機構３０は、車両レール１６に対する付属レール１８の位置に少なくとも部分的に基づいて作動するように構成することができる。いくつかの実施形態では、機械的リンク機構が１又は２以上のカムを含むことができ、或いは１又は２以上のカムを介して付属レール１８及び／又はショー要素２８に接することができる。機械的リンク機構３０の作動は、車両レール１６に対する付属レール１８の位置に少なくとも部分的に基づく（例えば、水平方向５８における付属レール１８と車両レール１６との間の距離に基づく）ことができる。しかしながら、他の実施形態では、機械的リンク機構３０の作動が、付属レール１８と車両レール１６との間の絶対距離、乗り物車両２０に対する付属レール１８の位置、地面に対する付属レール１８の位置、又は他の何らかの物体に対する付属レール１８の位置に少なくとも部分的に基づくことができる。
【００２１】
機械的リンク機構３０は、その設計に基づき、左側車両レール５０又は右側車両レール５２に対する付属レール１８の位置に少なくとも部分的に基づいて作動するように構成することができる。例えば、機械的リンク機構３０が付属レール１８、右側車両レール５２又は乗り物車両ベース２２の右側部分及びショー要素２８に結合される実施形態では、機械的リンク機構３０を、右側車両レール５２に対する付属レール１８の位置に少なくとも部分的に基づいて作動するように構成することができる。
【００２２】
乗り物軌道１４は、複数の付属レール１８を含むことができる。いくつかの実施形態では、各ショー要素２８がそれぞれの付属レール１８を有するように、付属レール１８の数が、乗り物車両ベース２２に結合されたショー要素２８の数に対応する。例えば、乗り物車両ベース２２の左側に結合された第１のショー要素２０と、乗り物車両ベース２２の右側に結合された第２のショー要素とを有する乗り物車両２０は、左側付属レール６６と対応する右側付属レール６８とを有することができる。別の実施形態では、複数のショー要素２８が単一の付属レール１８に対応することにより、単一の付属レール１８と車両レール１６との間の距離４８によって複数のショー要素２８の作動が制御されるように構成することができる。例えば、単一の付属レール１８は、第１のショー要素２８及び第２のショー要素２８の両方の作動を制御することができる。
【００２３】
図３は、本技術による乗り物車両システム１０の、付属レール１８、ショー要素２８及び乗り物車両２０の機械的リンク機構３０を含む乗り物車両システム１０の乗り物軌道１４の別の実施形態の断面図である。付属レール１８は、左側車両レール５０と右側車両レール５２との間に配置することができる。いくつかの実施形態では、付属レール１８が、対応する車両レール１６（例えば、右側レール）からの水平方向５８のオフセットである水平オフセット７０を有することができる。また、付属レール１８の垂直位置は、付属レール１８が、対応する車両レール１６からの垂直方向のオフセットである垂直オフセット７２を有することができるように、対応する車両レール１６に対して変化するように構成することができる。図３に示す付属レール１８は、水平オフセット７０及び垂直オフセット７２の両方を含むが、付属レールのいくつかの実施形態は、水平オフセット７０又は垂直オフセット７２のみを含むこともできる。
【００２４】
いくつかの実施形態では、機械的リンク機構３０が、ショー要素２８に結合された第１の端部７４と、乗り物軌道１４の付属レール１８に結合された第２の端部７６とを有する。機械的リンク機構３０は、乗り物車両２０が車両レール１６に沿って移動する際に付属レール１８に沿って動くように構成することができる。いくつかの実施形態では、機械的リンク機構３０が、対応する車両レール１６に結合されて車両レール１６に沿って動くように構成された中間部分を有することができる。別の実施形態では、機械的リンク機構３０を、乗り物車両ベース２２の対応する車両レール１６の近くに結合することができる。さらに、機械的リンク機構３０は、中間部分に配置されたヒンジ部を中心に回転するように構成することができる。例えば、図３に示す機械的リンク機構３０は単体であるが、他の実施形態では、機械的リンク機構３０が、乗り物車両が車両レール１６に沿って進む際に付属レール１８の位置の変化と共に動く、剛直な又は可動式の接合部を介して互いに結合された複数の構体を含むことができる。
【００２５】
機械的リンク機構３０が付属レール１８に対して動くと、車両レール１６に対する付属レール１８の位置（例えば、垂直オフセット７２及び水平オフセット７０）に少なくとも部分的に基づいてショー要素２８が作動することができる。水平オフセット７０の変化は、機械的リンク機構３０を介してショー要素２８の前方向７８又は後方向８０への作動を引き起こすことができる。しかしながら、いくつかの実施形態では、水平オフセット７０の変化が、さらなる方向（例えば、内側方向８２、外側方向８４、上方向８６、下方向８８、又はこれらの何らかの組み合わせ）への作動を引き起こすこともできる。さらに、垂直オフセット７２の変化は、機械的リンク機構３０を介してショー要素２８の上方向８６又は下方向８８への作動を引き起こすことができる。しかしながら、いくつかの実施形態では、垂直オフセット７２の変化が、さらなる方向（例えば、内側方向８２、外側方向８４、前方向７８、後方向８０、又はこれらの何らかの組み合わせ）への作動を引き起こすこともできる。
【００２６】
いくつかの実施形態では、乗り物車両が乗り物軌道１４に沿って進む際の水平オフセット７０及び垂直オフセット７２の変化によってショー要素２８の作動方向が制御されるが、ショー要素２８の作動の大きさは、例えば水平及び垂直オフセットの変化によって決定される付属レール１８の位置の総距離変化によって決定される。いくつかの実施形態では、機械的リンク機構３０を、付属レール１８の総距離変化と、ショー要素２８の遠位端１００におけるショー要素２８の作動の大きさとの間に１対１の比率を生じるように設計することができる。例えば、総距離変化が５インチであれば、ショー要素２８の遠位端１００は５インチ動くことができる。別の実施形態では、機械的リンク機構３０が歯車装置を含むことができる。この歯車装置は、機械的リンク機構３０がギア比（例えば、１対２の比率、２対１の比率及び３対１の比率など）に従う総距離変化に基づいてショー要素２８の遠位端１００を動かすようにすることができる。例えば、１対２のギア比では、１０インチの総距離変化によってショー要素２８を２０インチ動かすことができる。このギア比は、本質的に機械的リンク機構３０の相対的長さ及び／又はショー要素２８の長さによってもたらすことができる。他の実施形態では、歯車装置が、ギア比をもたらすように構成された１又は２以上の歯車及び／又はカムを含むことができる。
【００２７】
図４は、上方位置９０に配置された複数のショー要素を有する乗り物車両２０の実施形態の正面図である。いくつかの実施形態では、機械的リンク機構３０の作動により、付属レール１８と車両レール１６の間の距離の変化に少なくとも部分的に基づいてショー要素２８が動く。別の実施形態では、機械的リンク機構３０が、付属レール１８と乗り物車両ベースの一部との間の距離の変化に基づいてショー要素２８を動かす。いくつかの実施形態では、機械的リンク機構３０が、付属レール１８と地面との間の距離の変化に基づいてショー要素２８を動かす。いくつかの実施形態では、機械的リンク機構３０が、ショー要素２８を乗り物車両ベース２２に対して上方及び下方に動かして、乗り物車両２０の１又は２以上の乗客に固有の視覚的体験をもたらすことができる。例えば、鳥をテーマとする乗り物車両では、ショー要素２８が鳥の翼のように見えることができる。機械的リンク機構３０は、翼を上方及び下方に動かして翼を羽ばたかせることができる。
【００２８】
別の実施形態では、付属レール１８の位置を、乗り物軌道１４を取り囲む環境内に配置された１又は２以上の静止又は可動要素に基づいて乗り物車両ベース２２の乗り物車両ベースエンベロープ外で機械的リンク機構３０が戦略的に（例えば、ショー要素２８と乗り物軌道１４を取り囲む環境内に配置された要素との衝突を避けるように）ショー要素２８を動かすように設計することができる。乗り物車両ベースエンベロープは、乗り物車両２０が乗り物軌道１４に沿って移動する際に乗り物車両ベース２２によって占められる３次元体積を含むことができる。いくつかの実施形態では、ショー要素２８が、乗り物車両ベースエンベロープ外に延びることができる。例えば、乗り物軌道１４に近い遊園地アトラクション内には、アニマトロニックの動物が配置されることがある。付属レール１８は、乗り物ベースエンベロープ外に存在するアニマトロニックの動物に乗り物車両２０が近づくと、ショー要素２８がアニマトロニックの動物にぶつからないように機械的リンク機構３０がショー要素２８を上方に持ち上げることができるように設計することができる。具体的に言えば、アニマトロニックの動物のエリアでは、付属レール１８を車両軌道１６に対して、機械的リンク機構３０がショー要素２８をアニマトロニックの動物の上方に持ち上げるように配置することができる。
【００２９】
別の実施形態では、アクチュエータ４４（例えば、空気圧式、水圧式、機械式、電気式）が、（すなわち、機械的リンク機構３０に加えて、又は機械的リンク機構３０の代わりに）固有の視覚的効果を生み出してショー要素２８と乗り物車両ベースエンベロープ外の乗り物軌道１４沿いの構造との衝突を避けるようにショー要素２８の位置を制御することができる。アクチュエータ４４は、乗り物システムコントローラ及び／又は乗り物車両コントローラから受け取られた制御信号に少なくとも部分的に基づいてショー要素２８を動かすことができる。制御信号は、例えば、乗り物車両２０の位置、ショー要素２８の位置、又は他の何らかの値を示す１又は２以上のセンサからの信号に基づくことができる。１又は２以上のセンサは、乗り物車両２０の位置、ショー要素２８の位置、又は他の何らかの値を検出する赤外線、圧力、電磁気又はその他の好適なセンサとすることができる。いくつかの実施形態では、１又は２以上のセンサが乗り物車両上に配置される（例えば、車載型センサ）。別の実施形態では、１又は２以上のセンサが乗り物軌道１４及び／又は遊園地アトラクション１２沿いに配置される（例えば、車外センサ）。いくつかの実施形態では、乗り物車両システム１０が、冗長コンポーネント（例えば、センサ、コントローラ、通信装置など）、耐故障性及び／又は回復手順を含むフェイルセーフセンサ構成を含むことができる。フェイルセーフセンサ構成は、制御信号の精度を高めることができる。乗り物システムコントローラ及び／又は乗り物車両コントローラは、所定のプログラム、検出された障害物、その他の要因、又はこれらの何らかの組み合わせに基づいて制御信号を出力することができる。いくつかの実施形態では、アクチュエータ４４が、機械的リンク機構３０（すなわち、車両レール１６、乗り物車両２０、地面、又はこれらの何らかの組み合わせに対する付属レール１８の経路又は形態）と協働して、ショー要素２８と乗り物車両ベースエンベロープ外の乗り物軌道１４沿いの構造との衝突を避けるようにショー要素２８を動かすことができる。
【００３０】
乗り物車両システム１０は、ブレーキシステムを含むことができる。いくつかの実施形態では、ブレーキシステムが乗り物車両２０上に配置される（例えば、車載型ブレーキシステム）。車載型ブレーキシステムは、コントローラから出力されたブレーキ信号に応答して、乗り物軌道１４に沿った乗り物車両２０の動きを低速化又は停止するように構成することができる。コントローラは、ショー要素２８が適所を外れていると判定したことに応答してブレーキ信号を出力するように構成することができる。車載型ブレーキシステムは、乗り物車両２０の摩擦車輪アセンブリ２４、或いはいずれかの好適な推進又は接合アセンブリに接するように構成されたブレーキを含むことができる。別の実施形態では、ブレーキシステムを乗り物軌道１４沿いに配置することができる（例えば、車外ブレーキシステム）。コントローラは、ショー要素２８が適所を外れていると判定したことに応答して、乗り物軌道１４沿いに配置された車外ブレーキシステムにブレーキ信号を出力するように構成することができる。車外ブレーキシステムは、乗り物軌道１４に沿った乗り物車両２０の動きを低速化又は停止するように構成することができる。車外ブレーキシステムは、ブレーキ信号を受け取ったことに応答して作動するように構成されたブロックゾーン（ｂｌｏｃｋ  ｚｏｎｅ）を含むことができる。車外ブレーキシステムは、乗り物車両２０を乗り物軌道１４に沿って低速化又は停止するように構成されたいずれかの好適な機構又はシステムを含むことができる。いくつかの実施形態では、ショー要素２８、機械的リンク機構３０又はこれらの何らかの組み合わせが、解除機構（ｒｅｌｅａｓｅ  ｍｅｃｈａｎｉｓｍ）９２を有することができる。解除機構９２は、乗り物車両ベース２２、機械的リンク機構３０又はこれらの両方からのショー要素２８の手動切断（ｍａｎｕａｌ  ｄｉｓｃｏｎｎｅｃｔ）を可能にするように構成することができる。メンテナンス中には、ショー要素２８が障害物となって、整備員が車両の周囲を歩いて移動する距離が長くなってしまうことがある。従って、解除機構９２は、より素早い乗り物車両２０のメンテナンスを容易にすることができる。解除機構９２は、ショー要素２８の手動解除を可能にするレバー又は他の何らかの好適なタイプの解除トリガを有することができる。レバーは、乗り物車両ベース２２の内部又は外部に配置することができる。
【００３１】
図５は、後方位置９６に配置された複数のショー要素２８を有する乗り物車両２０の別の実施形態の斜視図である。いくつかの実施形態では、機械的リンク機構３０の作動により、付属レール１８と車両レール１６、乗り物車両ベース２２、地面又はこれらの何らかの組み合わせとの間の距離の変化に少なくとも部分的に基づいてショー要素２８が動く。いくつかの実施形態では、機械的リンク機構３０が、ショー要素２８を乗り物車両ベース２２に対して後方及び前方に動かして、乗り物車両２０の１又は２以上の乗客に固有の視覚的体験をもたらすことができる。例えば、鳥をテーマとする乗り物車両では、ショー要素２８が鳥の翼のように見えることができる。機械的リンク機構３０は、乗り物軌道の下り坂と組み合わせて翼を後方に動かして、鳥が地面に向かって突進する動き及び視覚的体験をもたらすことができる。
【００３２】
別の実施形態では、アクチュエータ４４（例えば、空気圧式、水圧式、機械式又は電気式アクチュエータ）が、ショー要素２８を後方及び前方に動かすことができる。アクチュエータ４４は、乗り物コントローラから受け取られた制御信号に少なくとも部分的に基づいて、何らかの所定の編成に従う固有の視覚的効果をもたらし、及び／又はショー要素２８と乗り物車両ベースエンベロープ外の乗り物軌道１４沿いの構造との衝突を避けるようにショー要素２８を後方及び前方に動かすことができる。また、アクチュエータ４４は、乗り物車両２０の乗車／降車区画（ｌｏａｄｉｎｇ／ｕｎｌｏａｄｉｎｇ  ｂａｙ）においてショー要素２８を後方又は前方に動かすこともできる。乗客は、乗車／降車区画において乗り物車両２０に対する入場及び退場を行うことができる。乗り物車両２０の乗車／降車区画は、他の乗り物軌道１４への入口が狭くなっていることがある。ショー要素２８は、後方又は前方に動くことによって、ショー要素２８を有する乗り物車両ベース２２がこの狭い入口を通過できるようにすることができる。
【００３３】
図６は、後退又は折り畳み位置９８に配置されたショー要素２８を有する乗り物車両２０の別の実施形態の正面図である。ショー要素２８は、乗り物車両ベース２２に対して延長又は後退するように構成することができる。いくつかの実施形態では、ショー要素２８が、遠位端１００及び近位端１０２を有する。遠位端１００は、近位端１０２の反対側に存在する。近位端１０２は、乗り物車両ベース２２に結合することができ、遠位端１００は、近位端１０２に対して上方に、下方に、前方に、後方に、外方に、内方に、又はこれらの何らかの組み合わせで動くように構成される。別の実施形態では、近位端１０２が、機械的リンク機構３０の第１の端部７４に結合される。遠位端１００は、ショー要素２８の近位端１０２に対して外方に延び、又は内方に後退するように構成することができる。例えば、海賊をテーマとした乗り物車両では、オールの遠位端をオールの近位端に対して後退させて、オールが海賊船の船体内に引っ込められている視覚的効果を生み出すように構成することができる。別の実施形態では、オールの遠位端及び近位端が、共に（すなわち、オール全体が）船体に向かって、少なくとも部分的に船体内に、又は少なくとも部分的に船体の下部に後退することができる。
【００３４】
図７は、上方折り畳み位置１０４に配置されたショー要素２８を有する乗り物車両２０の別の実施形態の正面図である。いくつかの実施形態では、機械的リンク機構３０及びアクチュエータ４４の両方を、ショー要素２８の作動を引き起こすように構成することができる。ショー要素２８の近位端１０２は、機械的リンク機構３０の作動によってショー要素２８が上方に、下方に、後方に、前方に、又はこれらの何らかの組み合わせで動くように機械的リンク機構３０に結合することができる。また、アクチュエータ４４は、乗り物車両２０上に配置することができる。いくつかの実施形態では、アクチュエータ４４をショー要素２８に結合することができる。アクチュエータ４４は、ショー要素２８の遠位端１００を近位端１０２に対して動かすように構成することができる。例えば、海賊をテーマとした乗り物車両では、機械的リンク機構３０がショー要素２８（例えば、オール）を前方、下方、後方及び上方の順で動くように作動させて漕ぐ動作をシミュレートすることができる。また、アクチュエータ４４は、船を漕ぐ際の内向き及び外向きの動きをシミュレートするように機械的リンク機構３０からの動きと組み合わせてショー要素２８（例えば、オール）を後退及び延長させて乗客によりリアルな視覚的体験をもたらすことができる。
【００３５】
別の実施形態では、ショー要素２８が、ショー要素特徴１０６を有することができる。いくつかの実施形態では、ショー要素特徴１０６が、ショー要素２８に取り外し可能に結合される。別の実施形態では、ショー要素特徴１０６がショー要素２８と一体化される。アクチュエータ４４は、ショー要素特徴１０６をショー要素２８に対して作動させるように構成することができる。例えば、飛行機をテーマとした乗り物車両では、ショー要素２８を飛行機の翼とすることができ、ショー要素特徴１０６をフラップ又は補助翼とすることができる。アクチュエータ４４は、フラップ又は補助翼を翼に対して動かすように構成することができる。
【００３６】
図１及び図３〜図７に示すショー要素２８は乗り物車両２０の側部３２から延びているが、ショー要素２８が乗り物車両の他の部分（例えば、前部３８、後部４０、上部４２、底部）から延びる他の実施形態も想定されると理解されたい。
【００３７】
図８は、収容位置１４４と開放位置１４６との間で動くように構成されたショー要素２８を有する乗り物車両２０の実施形態の斜視図である。図示の実施形態では、機械システム１４８を、ショー要素２８を収容位置１４４から開放位置１４６に作動させるように構成することができる。機械システム１４８は、乗り物軌道１４に近接して配置することができる。機械システム１４８は、乗り物車両２０が機械システム１４８に接触したことに基づいて作動するように構成することができる。機械システム１４８は、ショー要素２８が機械システム１４８に接触したことに基づいて作動するように構成することもできる。いくつかの実施形態では、機械システム１４８を、摩擦車輪アセンブリ２４が機械システム１４８に接触したことに基づいて作動するように構成することができる。いくつかの実施形態では、機械システム１４８を、ショー要素１４８を結合部１５０から切り離すように構成することができる。アクチュエータ４４は、ショー要素２８が結合部１５０から切り離された時に、ショー要素２８を格納位置１４４から開放位置１４６に動かすように構成することができる。例えば、アクチュエータ４４は、ショー要素２８が結合部１５０から切り離された時に、ショー要素２８を乗り物車両２０の側部の収容位置１４４から開放位置１４６に回転させるように構成されたばねとすることができる。ショー要素２８は、開放位置１４６では乗り物車両２０から広がることができる。いくつかの実施形態では、収容位置１４４において、ショー要素２８を機械的リンク機構及び／又は付属レール１８から解放することができる。ショー要素２８は、開放位置１４６に動くと機械的リンク機構及び／又は付属レール１８に係合することができ、従って開放位置１４６にある時には車両レール１６に対する付属レール１８の位置に基づいて動くようになる。
【００３８】
いくつかの実施形態では、機械的格納システム１５２を、ショー要素２８を開放位置１４６から収容位置１４４に動かすように構成することができる。機械的格納システム１５２は、乗り物軌道１４に近接して配置することができる。機械的格納システム１５２は、乗り物車両２０が乗り物軌道１４に沿って移動する際に機械的格納システム１５２を通過する前に機械システム１４８を通過するように配置することができる。いくつかの実施形態では、機械的格納システム１５２を、ショー要素２８の経路を塞ぐことによって、乗り物車両２０が軌道１４に沿って移動する際にショー要素２８が機械的格納システム１５２に接触するように構成することができる。機械的格納システム１５２は、ショー要素２８の結合部分１５４を結合部１５０内に押し込んでショー要素２８を結合部１５０に結合させるように構成することができる。ショー要素２８は、結合部１５０に結合されると収容位置１４４に収まる。
【００３９】
図９は、遊園地アトラクション１２の乗り物車両制御システム１０８のブロック図である。いくつかの実施形態では、乗り物車両制御システム１０８が、プロセッサ１１２及びメモリ１１４を有する乗り物システムコントローラ１１０を有する。さらに、乗り物車両制御システム１０８は、乗り物車両コントローラ１１６及びセンサ１１８を含むことができる。いくつかの実施形態では、センサ１１８が、乗り物車両２０に対するショー要素２８の位置を検出し、乗り物車両２０に対するショー要素の位置に少なくとも部分的に基づいて乗り物状態信号１２０を出力するように構成される。別の実施形態では、センサ１１８が、乗り物軌道１４に沿った乗り物車両２０の位置を検出し、乗り物軌道１４に沿った乗り物車両２０の位置に少なくとも部分的に基づいて乗り物状態信号１２０を出力するように構成される。乗り物システムコントローラ１１０は、センサ１１８から乗り物状態信号１２０を受け取り、乗り物状態信号１２０に少なくとも部分的に基づいて制御信号（例えば、ショー要素位置信号）１２２を出力するように構成される。
【００４０】
他の実施形態では、乗り物車両コントローラ１１６を、ショー要素位置信号１２２を受け取ってアクチュエータ４４に中継するように構成することができる。ショー要素位置信号１２２をアクチュエータ４４に中継することは、ショー要素位置信号を受け取り、受け取ったショー要素位置信号を処理して新たなショー要素位置信号を生成することを含むことができる。いくつかの実施形態では、乗り物システムコントローラ１１０が、ショー要素位置信号１２２をアクチュエータ４４に直接出力するように構成される。別の実施形態では、乗り物車両コントローラ１１６が、センサ１１８から直接乗り物状態信号１２０を受け取り、乗り物状態信号１２０に少なくとも部分的に基づいてショー要素位置信号１２２を出力するように構成される。アクチュエータ４４は、ショー要素位置信号１２２を受け取り、これに従ってショー要素２８を作動させるようにその位置を調整するよう構成される。
【００４１】
別の実施形態では、乗り物システムコントローラ１１０及び／又は乗り物車両コントローラ１１６が、乗り物状態信号１２０に少なくとも部分的に基づいてショー特徴位置信号１２４を出力するように構成される。ショー特徴位置信号１２４は、アクチュエータ４４にショー要素特徴１０６を動かさせるように構成される。
【００４２】
これらの通信を容易にするために、乗り物車両コントローラ１１６、センサ１１８及びアクチュエータ４４は、アンテナ、無線トランシーバ回路、信号処理ハードウェア及び／又はソフトウェア（例えば、ハードウェア又はソフトウェアフィルタ、Ａ／Ｄ変換器、マルチプレクサ増幅器）、又はこれらの組み合わせなどの通信回路を含むことができる。通信回路は、ＩＲ無線通信、衛星通信、放送無線、マイクロ波無線、Ｂｌｕｅｔｏｏｔｈ、Ｚｉｇｂｅｅ、ＷｉＦｉ、ＵＨＦ、ＮＦＣなどを介して有線又は無線通信経路を通じて通信するように構成することができる。このような通信は、無線タワー、セルラータワーなどの中間通信装置を含むこともできる。アクチュエータ４４は、電子アクチュエータである場合にはバッテリを含むことができる。アクチュエータ４４は、空気圧式又は水圧式アクチュエータである場合には蓄圧器を含むことができる。バッテリ及び／又は蓄圧器は、乗り物車両２０上に配置されて、乗り物車両システム１０の動作中に定期的に充電又は充填することができる。例えば、遊園地アトラクション１２は、乗り物車両２０が乗客の乗車及び／又は降車のために停止している時に、乗り物車両２０上のバッテリ及び／又は蓄圧器を充電及び／又は充填するように構成することができる。
【００４３】
いくつかの実施形態では、乗り物車両コントローラ１１６が、本明細書で説明した方法の実行及び動作の制御を行うためにプロセッサ１２８が実行できる命令を記憶するメモリデバイス１２６を含むことができる。例えば、プロセッサ１２８は、乗り物車両コントローラ１１６が受け取った乗り物状態信号１２０又はその他の入力に基づく応答のために、メモリデバイス１２６に記憶された命令を実行することができる。
【００４４】
この実施形態では、乗り物車両２０が車載型推進システムを含まない。例えば、遊園地アトラクション１２は、乗り物車両２０外部の推進システムを使用して乗り物車両２０が傾斜を上るように推進する。その後、乗り物車両２０は、位置エネルギー及び運動エネルギーを使用して車両レール１２に沿って１又は２以上の運動ゾーン（ｋｉｎｅｔｉｃ  ｚｏｎｅｓ）を進む。このような実施形態では、遊園地アトラクション１２が、乗り物車両２０が傾斜を上るように推進された後に推進力を伴わずに１又は２以上の運動ゾーンを進む複数のサイクルを含むことができる。しかしながら、他の実施形態では、乗り物車両２０が、乗り物車両コントローラ１１６の制御下にある車載型推進システムを有することもできる。
【００４５】
ショー要素２８は、ショー要素位置信号１２２に少なくとも部分的に基づいて動くように構成される。ショー要素位置信号１２２は、乗り物システムコントローラ１１０、乗り物車両コントローラ１１６、又はこれらの何らかの組み合わせからの、ショー要素２８を乗り物車両ベース２２に対して上方に、下方に、前方に、後方に、外方に、内方に、又はこれらの何らかの組み合わせで動かす命令を含むことができる。アクチュエータ４４は、ショー要素位置信号１２２に応答して作動してショー要素２８を動かすように構成することができる。いくつかの実施形態では、アクチュエータ４４が乗り物車両２０上に配置される。別の実施形態では、アクチュエータ４４を乗り物車両２０の車外の遊園地アトラクション１２の一部に配置することができる。同様に、センサ１１８も、乗り物車両２０の車内、又は乗り物車両２０の車外の遊園地アトラクション１２の一部に配置することができる。
【００４６】
いくつかの実施形態では、乗り物車両２０、ショー要素２８又はこれらの両方の制御を、環境又は気象条件（例えば、強風）に基づいて変更することができる。例えば、ショー要素２８は、測定された突風が何らかの閾値を上回る時には、乗り物車両２０への空力抵抗を減少させるように作動することができる。
【００４７】
図１０は、機械的リンク機構を作動させて乗り物車両に対してショー要素を動かす方法のフロー図１３０である。方法を開始するに当たり、乗り物車両を乗り物軌道に移動可能に結合することができる。方法１３０は、乗り物軌道の車両レールに沿って乗り物車両を移動させるステップを含む（ブロック１３２）。乗り物車両はローラーコースターとすることができ、従って乗り物車両を移動させるステップは、ポテンシャルゾーン（ｐｏｔｅｎｔｉａｌ  ｚｏｎｅ）において乗り物車両を垂直方向上向きに推進し、１又は２以上の運動ゾーンを通じて乗り物車両を重力駆動するステップを含むことができる。
【００４８】
方法１３０は、センサを介して、乗り物軌道に沿った乗り物車両の位置を特定するステップを含むことができる。いくつかの実施形態では、乗り物車両システムが、ショー要素が作動するように構成された地点における乗り物車両の位置に関するアップデートを受け取るように、乗り物軌道沿いの乗り物車両を検出するように構成された複数のセンサを含む。さらに、方法１３０は、センサを介して乗り物車両に対するショー要素の位置を特定するステップを含むことができる（ブロック１３４）。いくつかの実施形態では、ショー要素が正しく配置されていることを乗り物車両制御システムが検証できるように、センサがショー要素の現在位置を検出することができる。ショー要素が正しく配置されていない場合、乗り物車両コントローラは、ショー要素を正しい位置に動かすためのショー要素位置信号を出力することができる。
【００４９】
方法１３０は、検出された軌道沿いの乗り物車両の位置、及び／又は乗り物車両に対する検出されたショー要素の位置に少なくとも部分的に基づいて、センサを介して乗り物状態信号を出力するステップを含むことができる（ブロック１３６）。乗り物車両コントローラは、乗り物状態信号を受け取って（ブロック１３８）、アクチュエータのための命令を決定することができる。方法１３０は、乗り物状態信号に少なくとも部分的に基づいて、乗り物車両コントローラを介してショー要素位置信号を出力するステップを含むことができる（ブロック１４０）。さらに、方法１３０は、ショー要素位置信号に少なくとも部分的に基づいて、アクチュエータを介してショー要素及び／又ショー要素特徴を作動させるステップを含むことができる。
【００５０】
いくつかの実施形態では、方法１３０が、車両レールに対する乗り物軌道の付属レールの位置に少なくとも部分的に基づいて機械的リンク機構を作動させて、乗り物車両に結合されたショー要素を動かすステップを含むことができる（ブロック１４２）。他の実施形態では、機械的リンク機構が、付属レールと乗り物車両ベースの一部との間の距離の変化に基づいてショー要素を動かす。いくつかの実施形態では、機械的リンク機構が、付属レールと地面との間の距離の変化に基づいてショー要素を動かす。付属レールの位置は、車両レール、地面、又は乗り物軌道沿いの乗り物車両ベースに対して変化するように構成される。付属レールの位置は、車両レールから水平及び／又は垂直方向にオフセットすることができる。さらに、ショー要素は、乗り物車両、地面又は乗り物車両ベースに対して作動するように構成される。具体的に言えば、機械的リンク機構は、車両レール、地面又は乗り物車両ベースに対する付属レールの位置に少なくとも部分的に基づいて、ショー要素２８を乗り物車両に対して上方に、下方に、前方に、後方に、内方に、外方に、又はこれらの何らかの組み合わせで作動させるように動くよう構成される。
【００５１】
本開示の技術的効果は、乗り物車両に結合されたショー要素を作動させることを含む。本明細書に開示したシステム及び方法は、乗客が遊園地アトラクションの乗り物軌道に沿って移動しながら楽しめる固有の視覚的体験をもたらすために使用することができる。開示した技術は、機械的リンク機構、アクチュエータ又はこれらの何らかの組み合わせを使用してショー要素を動かして乗客に固有の視覚的体験をもたらすために使用することができる。
【００５２】
本明細書では、本開示のいくつかの特徴のみを図示し説明したが、当業者には多くの修正及び変更が思い浮かぶであろう。従って、添付の特許請求の範囲は、本開示の実際の趣旨に該当する全てのこのような修正及び変更を含むものであると理解されたい。
【００５３】
本明細書に示して特許請求する技術は、本技術分野を確実に改善する、従って抽象的なもの、無形のもの又は純粋に理論的なものではない実際的性質の有形物及び具体例を参照し、これらに適用される。さらに、本明細書の最後に添付するいずれかの請求項が、「．．．［機能］を［実行］する手段」又は「．．．［機能］を［実行］するステップ」として指定されている１又は２以上の要素を含む場合、このような要素は米国特許法１１２条（ｆ）に従って解釈すべきである。一方で、他のいずれかの形で指定された要素を含むあらゆる請求項については、このような要素を米国特許法１１２条（ｆ）に従って解釈すべきではない。
【図１】
2022500159.tif 000003
【図２】
2022500159.tif 000004
【図３】
2022500159.tif 000005
【図４】
2022500159.tif 000006
【図５】
2022500159.tif 000007
【図６】
2022500159.tif 000008
【図７】
2022500159.tif 000009
【図８】
2022500159.tif 000010
【図９】
2022500159.tif 000011
【図１０】
2022500159.tif 000012
【国際調査報告】
2022500159.tif 000013
2022500159.tif 000014